(57)【要約】      （修正有）【課題】低コスト、高効率、少部品の理想的な電源供給装置を提供する。【解決手段】電源供給装置は、開路電源スイッチャー、電源隔離トランス、バックライトドライヴィング回路、電源回路を含む。開路電源スイッチャーは、直流電源を交流入力電圧に転換する。電源隔離トランスは、開路電源スイッチャーに接続され、一次コイルと二次側の第一、第二コイルを有し、第一コイルは、交流入力電圧に応じて第一電圧シグナルを発信する。バックライトドライヴィング回路は、電源隔離トランスの第一コイルに接続され、第一電圧シグナルに応じてバックライトモジュールを作動させる。電源回路は、電源隔離トランスの第二コイルに接続され、交流入力電圧に応じて発信した第二コイル上の第二電圧シグナルの受信後、出力電源シグナルを発信する。【選択図】図２
0003155903.tif 000002
【実用新案登録請求の範囲】
【請求項１】
直流電源に応じて交流入力電圧を提供する開路電源スイッチャーと、その開路電源スイッチャーに接続され、一次コイル、更に、交流入力電圧に応じて第一電圧シグナルを発信する二次側の第一コイル、及び、第二コイルを持つ電源隔離トランスと、その電源隔離トランスの第一コイルに接続され、第一電圧シグナルに応じてバックライトモジュールを作動させるバックライトドライヴィング回路と、電源隔離トランスの第二コイルに接続され、交流入力電圧に応じて発信した第二電圧シグナルの受信後、出力電源シグナルを発信する電源回路とを含む電源供給装置。
【請求項２】
請求項１に記載のバックライトモジュールは、少なくとも一個以上の蛍光灯を含むという電源供給装置。
【請求項３】
請求項２に記載の開路電源スイッチャー、電源隔離トランス、バックライトドライヴィング回路は、蛍光灯インバーター（ｉｎｖｅｒｔｅｒ）を形成するもので、開路電源スイッチャー、電源隔離トランス、電源回路は、システム（ｓｙｓｔｅｍ）電源を形成するものだが、その蛍光灯インバーターとシステム電源は、開路電源スイッチャーと電源隔離トランスを共用するという特徴を持つ電源供給装置。
【請求項４】
請求項２に記載の開路電源スイッチャー、電源隔離トランス、バックライトドライヴィング回路は、蛍光灯インバーターを形成するもので、開路電源スイッチャー、電源隔離トランス、電源回路は、スタンバイ電源を形成するものだが、その蛍光灯インバーターとスタンバイ電源は、開路電源スイッチャーと電源隔離トランスを共用するという特徴を持つ電源供給装置。
【請求項５】
請求項２に記載のバックライトドライヴィング回路は、第一電圧シグナルの受信後、蛍光灯の電流と明度を調整するという作用の電圧コントロールシグナルを発信する蛍光灯電流及び調光コントロールモジュールと、その蛍光灯電流及び調光コントロールモジュールに接続され、電圧コントロールシグナルに応じて、少なくとも一つ以上の第一出力ドライヴィングシグナルを発信して蛍光灯を点灯させるという機能の蛍光灯ドライヴィングモジュールとを含むという特徴を持つ電源供給装置。
【請求項６】
請求項５に記載の蛍光灯ドライヴィングモジュールは、電圧コントロールシグナルに応じて複数の第一出力ドライヴィングシグナルを発信して、バックライトモジュールに含まれる複数の蛍光灯を点灯させるという機能の高圧トランスアレイを含むという特徴を持つ電源供給装置。
【請求項７】
請求項５に記載の蛍光灯ドライヴィングモジュールは、蛍光灯電流及び調光コントロールモジュールに接続され、電圧コントロールシグナルに応じてトランス出力シグナルを発信するトランスと、そのトランスに接続され、トランス出力シグナルに応じて複数の第一出力ドライヴィングシグナルを発信して、バックライトモジュールに含まれる複数の蛍光灯を点灯させるという機能の蛍光灯電流バランスモジュールとを含むという特徴を持つ電源供給装置。
【請求項８】
請求項５に記載の蛍光灯ドライヴィングモジュールは、蛍光灯電流及び調光コントロールモジュールに接続され、電圧コントロールシグナルに応じて第一トランス出力シグナルを発信する第一トランスと、蛍光灯電流及び調光コントロールモジュールに接続され、電圧コントロールシグナルに応じて第二トランス出力シグナルを発信する第二トランスと、第一トランスに接続され、第一トランス出力シグナルに応じて複数の第一出力ドライヴィングシグナルをバックライトモジュールに含まれる複数の蛍光灯の第一端へ各々発信する第一蛍光灯電流バランスモジュールと、第二トランスに接続され、第二トランス出力シグナルに応じて複数の第二出力ドライヴィングシグナルをバックライトモジュールに含まれる複数の蛍光灯の第二端へ各々発信する第二蛍光灯電流バランスモジュールとを含むという特徴を持つ電源供給装置。
【請求項９】
請求項５に記載の蛍光灯ドライヴィングモジュールは、蛍光灯電流及び調光コントロールモジュールに接続され、電圧コントロールシグナルに応じて少なくとも一つ以上の第一トランス出力シグナルを蛍光灯の第一端へ発信する第一トランスと、蛍光灯電流及び調光コントロールモジュールに接続され、電圧コントロールシグナルに応じて少なくとも一つ以上の第二トランス出力シグナルを蛍光灯の第二端へ発信する第二トランスとを含むが、この際のバックライトドライヴィング回路は、ダブルプッシュ式バックライトドライヴィング回路を採用するという特徴を持つ電源供給装置。
【請求項１０】
請求項９に記載の第一トランスは、高圧トランスアレイとなり、電圧コントロールシグナルに応じて複数の第一トランス出力シグナルをバックライトモジュールに含まれる複数の蛍光灯の第一端へ各々発信すると共に、第二トランスも、高圧トランスアレイとなり、電圧コントロールシグナルに応じて複数の第二トランス出力シグナルをバックライトモジュールに含まれる複数の蛍光灯の第二端へ各々発信するという特徴を持つ電源供給装置。
【請求項１１】
請求項５に記載の蛍光灯電流及び調光コントロールモジュールは、第一電圧シグナルの電流を探知して探知結果を発信する電流探知ユニットと、一端がその電流探知ユニットに、もう一端が蛍光灯ドライヴィングモジュールに含まれる一個以上のトランスの一端に各々接続される可変抵抗器と、その可変抵抗器に接続され、可変抵抗器の抵抗値をコントロールするドライヴィングユニットと、電流探知ユニットとドライヴィングユニットに接続され、調光コントロールシグナルと探知結果の受信後、ドライヴィングユニットを通して可変抵抗器の抵抗値を調整するフィードバックユニットと、電源隔離トランスの第一コイルとそのトランスのもう一端に接続される交流スイッチと、その交流スイッチとフィードバックユニットに接続され、パルス幅変調（ＰＷＭ）システムに応じて、交流スイッチのデューティサイクルをコントロールし、調光コントロールシグナルをフィードバックユニットへ発信するパルス幅変調調光ユニットとを含むという特徴を持つ電源供給装置。
【請求項１２】
請求項２に記載の開路電源スイッチャーは、直流電流と電源隔離トランスの一次コイルの一端に接続される第一端、及び、第二端、コントロール端を持つ第一トランジスターと、第一トランジスターの第二端に接続される第一端、及び、第二端、コントロール端を持つ第二トランジスターと、一端が電源隔離トランスの一次コイルのもう一端に接続され、もう一端が第一トランジスターの第二端と第二トランジスターの第一端に接続されるキャパシターと、第二トランジスターの第二端とレファレンス電源に接続される抵抗器と、第一、第二トランジスターの各々コントロール端とその抵抗器に接続され、第一、第二トランジスターの伝導状態をコントロールするオープンループ電流モードパルス幅変調コントローラーと、そのオープンループ電流モードパルス幅変調コントローラーに接続され、そのオープンループ電流モードパルス幅変調コントローラーを調整して蛍光灯を点灯させる蛍光灯ライティングコントロールモジュール（ｌａｍｐ  ｌｉｇｈｔｉｎｇ（ｓｔｒｉｋｉｎｇ）  ｃｏｎｔｒｏｌ  ｍｏｄｕｌｅ）とを含むという特徴を持つ電源供給装置。
【請求項１３】
請求項１に記載の電源回路は、電源隔離トランスの第二コイルに接続され、第二電圧シグナルの整流後の第二電圧シグナルに対してフィルター作業を行って出力電源シグナルを提供する整流フィルターモジュールを含むという特徴を持つ電源供給装置。
【請求項１４】
請求項１３に記載の電源回路は、整流フィルターモジュールに接続され、その整流フィルターモジュールによって得た出力電源シグナルに対して電圧の調整を行う電圧安定モジュールを含むという特徴を持つ電源供給装置。
【考案の詳細な説明】
【技術分野】
【０００１】
本考案は、電源供給装置に関するものだが、更に明確な言い方をすれば、バックライトドライヴィング回路と電源回路を結合させることによって同一のトランスと電源スイッチャーとの共用を可能にした電源供給装置に関するものだと言える。
【背景技術】
【０００２】
大型液晶テレビが使用するバックライトソースは、今日に至るまで、相変わらず、冷陰極蛍光灯が主流であり、そのバックライトソースは、内部の蛍光灯インバーターによって作動されるが、内部のその他の回路が使用する電源は、システム電源によって作動されるのである。即ち、一般の大型液晶テレビの使用する電源は、システム電源と蛍光灯インバーターとの分別供給方式がやはり主流をなし、典型的なシステム電源出力電圧は、例えば、２４ボルト、１２ボルト、５ボルト等で、スタンバイ電源は、５ボルトである。
【０００３】
目下市場に於いては、上述の電源供給方式の他に、ツーインワン（ｔｗｏ−ｉｎ−ｏｎｅ）交換式電源を使用する別種の大型液晶テレビも見られるが、ツーインワン交換式電源というのは、上述の蛍光灯インバーターとシステム電源を結合させた電源の略称である。
【０００４】
図１は、従来の液晶テレビに用いられるツーインワン交換式電源供給器１００を説明するための図である。図１に示される如く、ツーインワン交換式電源供給器１００は、ＡＣ−ＤＣコンバーター１０５、蛍光灯インバーター１１０、システム電源を提供するＤＣ−ＤＣコンバーター１１５、スタンバイ電源を提供するＤＣ−ＤＣコンバーター１２０を含むものである。
【０００５】
その内、蛍光灯インバーター１１０は、複数の蛍光灯Ｌ１〜ＬＮを点灯させるのに必要な電圧を提供し、電源スイッチャー１２５ａ、トランス１３０ａ、高圧トランスアレイ１３５、フィードバック及びドライヴィング回路１４０ａを含むものである。ＤＣ−ＤＣコンバーター１１５は、液晶テレビ内部のその他の回路が使用するシステム電源ＶＯ１〜ＶＯＭを提供し、電源スイッチャー１２５ａ、トランス１３０ｂ、整流フィルターアレイ１３６、フィードバック及びドライヴィング回路１４０ｂを含むものである。ＤＣ−ＤＣコンバーター１２０は、スタンバイ電源ＶＳＳを提供し、電源スイッチャー１２５ｃ、トランス１３０ｃ、整流フィルター回路１３７、フィードバック及びドライヴィング回路１４０ｃを含むものである。
【０００６】
このタイプの構造設計は、一次側と二次側との間には独立使用する三個のトランス１３０ａ〜１３０ｃ、三個の電源スイッチャー１２５ａ〜１２５ｃ、三個のフィードバック及びドライヴィング回路１４０ａ〜１４０ｃが必要となるため、電源供給器１００自体のコストがかなり高額になるということの他に、システム電源は主にフライバック型構造を採用するため、その作業効率が非常に低いデューティ比となり、ＤＣ−ＤＣコンバーター１１５のトランス１３０ｂは、その影響を受けて、電源供給器１００全体の転換効率の低下という状態を引き起こすことになる。又、使用する回路素子が比較的多数なので、電源供給器１００全体の設計も当然かなり膨大なものになる。
【考案の概要】
【考案が解決しようとする課題】
【０００７】
前述の通り、従来のツーインワン交換式電源供給器の構造が持つ高コスト、低効率、多部品の欠点を如何に改善するかが本考案の重要な課題となる。
【課題を解決するための手段】
【０００８】
前記の課題を解決するための手段として、本考案は、低コスト、高効率、少部品の実現を可能にする電源供給装置を提供する。それは、冷陰極蛍光灯、又は外部電極蛍光灯をバックライトソースとする改良型ツーインワン電源を使用するものだけでなく、更には、バックライトドライヴィング回路と電源回路（例えば、システム電源又はスタンバイ電源）を結合させることによって同一のトランスと電源スイッチャーとを共用するという特徴を持つ電源供給装置である。
【考案の効果】
【０００９】
本考案の電源供給装置は、従来の交換式電源供給器の持つ繁雑な基本構造を改良して設計されたもので、更なるコスト削減と作業効率向上の目的が達成可能になる。
【図面の簡単な説明】
【００１０】
【図１】従来の液晶テレビが使用するツーインワン交換式電源供給器を示す図である。
【図２】本考案の第一実施例の電源供給装置を示す図である。
【図３】本考案の第二実施例の電源供給装置を示す図である。
【図４】本考案の第三実施例の電源供給装置を示す図である。
【図５】本考案の第四実施例の電源供給装置を示す図である。
【図６】本考案の第五実施例の電源供給装置を示す図である。
【図７】本考案の第六実施例の電源供給装置を示す図である。
【図８】本考案の第七実施例の電源供給装置を示す図である。
【図９】本考案の第八実施例の電源供給装置を示す図である。
【図１０】本考案の実施例中の蛍光灯電流及び調光コントロールモジュールを示す図である。
【図１１】本考案の実施例中の開路電源スイッチャーを示す図である。
【考案を実施するための形態】
【００１１】
本考案が提供する電源供給装置は、開路電源スイッチャー、電源隔離トランス、  バックライトドライヴィング回路、電源回路を含むものである。
【００１２】
開路電源スイッチャーは、直流電源を交流入力電圧に転換するものである。電源隔離トランスは、開路電源スイッチャーに接続され、一次コイルと二次側の第一、第二コイルを有するものだが、その内の第一コイルは、交流入力電圧に応じて第一電圧シグナルを発信するものである。バックライトドライヴィング回路は、電源隔離トランスの第一コイルに接続され、第一電圧シグナルに応じてバックライトモジュールを作動させるものである。電源回路は、電源隔離トランスの第二コイルに接続され、交流入力電圧に応じて発信した第二コイル上の第二電圧シグナルの受信後、出力電源シグナルを発信するものである。
【実施例１】
【００１３】
図２は、本考案の電源供給装置２００の第一実施例を説明するための図である。図２に示される如く、この電源供給装置２００は、ＡＣ−ＤＣコンバーター２０５、開路電源スイッチャー２１０、電源隔離トランス２１５、バックライトドライヴィング回路２２０、電源回路２２５、スタンバイ電源ＶＳＳを提供するＤＣ−ＤＣコンバーター２３０を含むものである。その中の開路電源スイッチャー２１０は、ＡＣ−ＤＣコンバーター２０５による転換後出力される直流電源Ｓｉｎ’に応じて交流入力電圧ＶＡＣを提供するものである。電源隔離トランス２１５は、開路電源スイッチャー２１０に接続され、一次コイルと二次側の第一、第二コイル（上述のコイルは、紙幅の都合により、図２に於いては未表示）を有するものだが、その内の第一コイルは、交流入力電圧ＶＡＣに応じて第一電圧シグナルＶ１を発信するものである。この外、バックライトドライヴィング回路（或いは蛍光灯インバーター）２２０は、電源隔離トランス２１５の第一コイルに接続され、第一電圧シグナルＶ１に応じてバックライトモジュール２３５に含まれる複数の蛍光灯Ｌ１〜ＬＮを点灯させるものである。又、電源回路２２５は、電源隔離トランス２１５の第二コイルに接続され、交流入力電圧ＶＡＣに応じて発信した第二コイル上の第二電圧シグナルＶ２の受信後、出力電源シグナルを一つ以上発信するものであるが、これらのシグナルは、本実施例に於いては、複数の出力電源シグナルＶＯ１〜ＶＯＭ（実際上、ＶＯ１〜ＶＯＭは出力電圧）を発信するものである。他に、図２のＤＣ−ＤＣコンバーター２３０の作動と作用については、図１のＤＣ−ＤＣコンバーター１２０のものと全く同様なので、ここでは再度の説明を省くことにする。
【００１４】
蛍光灯Ｌ１〜ＬＮが必要とする電圧とシステム電源が必要とする電圧ＶＯ１〜ＶＯＭを提供するバックライトドライヴィング回路２２０と電源回路２２５は、同一の開路電源スイッチャー２１０と電源隔離トランス２１５とを各々共用可能となるため、電源供給装置２００の全体構造は、低コスト、高効率、少部品の利点を持つことになる。パーツの共用関係という角度から見れば、開路電源スイッチャー２１０、電源隔離トランス２１５、バックライトドライヴィング回路２２０は、電源供給装置２００内部の蛍光灯インバーターを形成するものであり、開路電源スイッチャー２１０、電源隔離トランス２１５、電源回路２２５は、電源供給装置２００内部のシステム電源を形成するものだと言える。
【００１５】
詳細なる説明を加えれば、バックライトドライヴィング回路２２０は、蛍光灯電流及び調光コントロールモジュール２２０５と蛍光灯ドライヴィングモジュール２２１０とで構成され、電源回路２２５は、整流フィルターモジュール２２１５と電圧安定モジュール２２２０とで構成される。蛍光灯電流及び調光コントロールモジュール２２０５は、第一電圧シグナルＶ１を受信すると共に、蛍光灯Ｌ１〜ＬＮの電流と明度を調整する電圧コントロールシグナルＶＣを発信するものである。蛍光灯ドライヴィングモジュール２２１０は、本実施例に於いては、トランスアレイに相当し、電圧コントロールシグナルＶＣに応じて複数の第一出力ドライヴィングシグナルＳ１〜ＳＮを発信し、蛍光灯Ｌ１〜ＬＮを各々点灯させるものであるが、この際の、バックライトドライヴィング回路２２０は、シングルプッシュ式バックライトドライヴィング回路と呼ばれるものである。整流フィルターモジュール２２１５は、電源隔離トランス２１５の第二コイルに接続され、第二電圧シグナルＶ２の整流、フィルター作業の後に出力電圧ＶＯ１〜ＶＯＭの提供が可能になるのである。電圧安定モジュール２２２０は、整流フィルターモジュール２２１５に接続され、整流フィルターモジュール２２１５を通して放出される出力電圧ＶＯ１〜ＶＯＭに対して電圧安定を行うものである。
【００１６】
本実施例に於ける開路電源スイッチャー２１０は、設計上開路式を採用するため、バックライトドライヴィング回路２２０と電源回路２２５との共用可能になる、即ち、電源供給装置２００は、電源隔離トランス２１５の二次側のシグナル（例えば、第一コイルが発信する電圧シグナルＶ１）を開路電源スイッチャー２１０までフィードバックして、蛍光灯の電流調整と調光の作動を行うのではなく、蛍光灯電流及び調光コントロールモジュール２２０５を使用することによって、電源隔離トランス２１５の二次側に於いて直接的に電流調整と調光の作動を行うものである。そのため、本実施例に於いては、蛍光灯電流及び調光コントロールモジュール２２０５の部品が増加することにはなるが、同一の開路電源スイッチャー２１０と電源隔離トランス２１５との共用というメリットを持つ電源供給装置２００は、従来の電源供給器１００と比較すると、使用する部品がより少数という利点を有することになる。
【実施例２】
【００１７】
図２に於ける電源供給装置２００の基本構造に基づいて改良された変型構造の三種を示す図３〜図５は、本考案の第二、第三、第四実施例の電源供給装置２００を説明する図である。
【００１８】
先ず、図３に示される第二実施例に於いては、蛍光灯ドライヴィングモジュール２２１０が、高圧トランス２２１６と蛍光灯電流バランスモジュール２２２１を含むという点で、前述の第一実施例とに相異がある。
【００１９】
高圧トランス２２１６は、蛍光灯電流及び調光コントロールモジュール２２０５に接続され、電圧コントロールシグナルＶＣに応じてトランス出力シグナルＳＴＸＯを発信するものであり、蛍光灯電流バランスモジュール２２２１は、高圧トランス２２１６に接続され、トランス出力シグナルＳＴＸＯに応じて複数の第一出力ドライヴィングシグナルＳ１〜ＳＮを発信し、蛍光灯Ｌ１〜ＬＮを各々点灯させるものである。
【００２０】
つまり、蛍光灯Ｌ１〜ＬＮを各々点灯させるという目的を果たす蛍光灯ドライヴィングモジュール２２１０は、図３の第二実施例中では、高圧トランス２２１６と蛍光灯電流バランスモジュール２２２１を使用するという点に於いて、高圧トランスアレイを使用する図２の第一実施例とは異なるが、その他の回路構造については、二者は全く一致する。
【実施例３】
【００２１】
更に、図４に示される第三実施例に於いては、蛍光灯ドライヴィングモジュール２２１０が、二個の高圧トランスアレイ２２３０ａと２２３０ｂを含むという点で、前述の第一実施例とに相異がある。
【００２２】
高圧トランスアレイ２２３０ａは、蛍光灯電流及び調光コントロールモジュール２２０５に接続され、電圧コントロールシグナルＶＣに応じて複数の第一トランス出力シグナルを複数の蛍光灯Ｌ１〜ＬＮの第一端へ発信し、第一出力ドライヴィングシグナルＳ１〜ＳＮとして蛍光灯Ｌ１〜ＬＮを各々点灯させるものである。高圧トランスアレイ２２３０ｂは、蛍光灯電流及び調光コントロールモジュール２２０５に接続され、電圧コントロールシグナルＶＣに応じて複数の第二トランス出力シグナルを複数の蛍光灯Ｌ１〜ＬＮの第二端（即ち、もう一端）へ発信し、第二出力ドライヴィングシグナルＳ１’〜ＳＮ’として蛍光灯Ｌ１〜ＬＮを各々点灯させるものである。
【００２３】
更に言えば、蛍光灯ドライヴィングモジュール２２１０は、バックライトモジュール２３５内の蛍光灯Ｌ１〜ＬＮの長さが比較的長いものを使用するので、二個の高圧トランスアレイ２２３０ａと２２３０ｂを有する構造設計が可能となり、蛍光灯Ｌ１〜ＬＮをその両側から各々直接点灯させると共に、その明度を比較的均一にすることができるようになるが、この際のバックライトドライヴィング回路２２０は、プッシュプッシュ式バックライトドライヴィング回路と呼ばれるものである。
【００２４】
この様に、図４の第三実施例中では、二個の高圧トランス２２３０ａと２２３０ｂを使用するという点に於いて、一個の高圧トランスアレイを使用する図２の第一実施例とは異なるが、その他の回路構造については、二者は全く一致する。
【実施例４】
【００２５】
又、図５に示される第四実施例に於いては、蛍光灯ドライヴィングモジュール２２１０が、二個の高圧トランスアレイ２２３０ａと２２３０ｂ及び二組の蛍光灯電流バランスモジュール２２４０ａと２２４０ｂ含むという点で、前述の第一実施例とに相異がある。
【００２６】
その内の高圧トランスアレイ２２３０ａと２２３０ｂは、蛍光灯電流及び調光コントロールモジュール２２０５に接続され、電圧コントロールシグナルＶＣに応じて第一、第二トランス出力シグナルＳＴＸＯとＳＴＸＯ’を各々発信させるものである。蛍光灯電流バランスモジュール２２４０ａは、高圧トランス２２３５ａに接続され、第一トランス出力シグナルＳＴＸＯに応じて複数の第一出力ドライヴィングシグナルＳ１〜ＳＮを複数の蛍光灯Ｌ１〜ＬＮの第一端へ各々発信させるものである。蛍光灯電流バランスモジュール２２４０ｂは、高圧トランス２２３５ｂに接続され、第二トランス出力シグナルＳＴＸＯ’に応じて複数の第二出力ドライヴィングシグナルＳ１’〜ＳＮ’を複数の蛍光灯Ｌ１〜ＬＮの第二端（即ち、もう一端）へ各々発信させるものである。
【００２７】
この様に、蛍光灯ドライヴィングモジュール２２１０は、比較的長い蛍光灯Ｌ１〜ＬＮの使用に対応するため、二個の高圧トランスアレイ２２３０ａと２２３０ｂ及び二組の蛍光灯電流バランスモジュール２２４０ａと２２４０ｂを有する構造設計が可能となり、蛍光灯Ｌ１〜ＬＮをその両端から各々直接点灯させると共に、その明度を比較的均一にすることができるようになるが、この際のバックライトドライヴィング回路２２０は、図４の第三実施例と同様に、プッシュプッシュ式バックライトドライヴィング回路と呼ばれるものである。
【００２８】
図５の第四実施例中では、二個の高圧トランスアレイ２２３０ａと２２３０ｂ及び二組の蛍光灯電流バランスモジュール２２４０ａと２２４０ｂを使用するという点に於いて、一個の高圧トランスアレイを使用する図２の第一実施例とは異なるが、その他の回路構造については、二者は全く一致する。
【実施例５】
【００２９】
上述の図２〜図５に示される第一〜第四実施例の他に、バックライトドライヴィング回路、システム電源、スタンバイ電源の結合により、同一の開路電源スイッチャーと電源隔離トランスとを共用可能にしたより理想的な設計構造を示す図は、本考案の第五、第六、第七、第八実施例の電源供給装置３００を説明する図である。
【００３０】
先ず、第五実施例の電源供給装置３００は、図６に示される如く、ＡＣ−ＤＣコンバーター３０５、開路電源スイッチャー３１０、電源隔離トランス３１５、バックライトドライヴィング回路３２０、電源回路３２５と３３０を含むものである。その内、ＡＣ−ＤＣコンバーター３０５は、図２のＡＣ−ＤＣコンバーター２０５の作動と機能共に同様のものであり、バックライトドライヴィング回路３２０は、図４のバックライトドライヴィング回路２２０と同一の設計構造を持ち、蛍光灯ドライヴィングモジュール３２１０と２２１０（或いは、高圧トランスアレイ）を利用して蛍光灯Ｌ１〜ＬＮを各々直接点灯させるものである。又、電源回路３２５は、図２の電源回路２２５と同様にシステム電源を提供するものである。
【００３１】
図６に示される第五実施例に於いては、スタンバイ電源を提供する電源回路３３０（整流フィルターモジュール３３０１を含む）を含むという点で、図２の第一実施例とに相異があることに注意すべきだろう。その電源回路３３０は、電源隔離トランス３１５の第三コイル（図中未表示）上に接続され、交流入力電圧ＶＡＣに応じて発信した第三コイル上の第三電圧シグナルＶ３の受信後、出力電源シグナルＶＳＳを発信して、スタンバイ電源の出力電圧を提供するものである。
【００３２】
言い換えれば、開路電源スイッチャー３１０、電源隔離トランス３１５、電源回路３３０は、電源供給装置３００のスタンバイ電源を形成するものであり、このスタンバイ電源と蛍光灯ドライヴィング装置（開路電源スイッチャー３１０、電源隔離トランス３１５、バックライトドライヴィング回路３２０とで構成される）は、同一開路電源スイッチャー３１０と電源隔離トランス３１５とを共用することになる。
【００３３】
又、スタンバイ機能に関して言えば、電源供給装置３００は、更に、スタンバイ節電コントロール回路（ｓｔａｎｄｂｙ  ｍｏｄｅ  ｇｒｅｅｎ  ｃｏｎｔｒｏｌ  ｃｉｒｃｕｉｔ）３４０とスタンバイモードオン／オフコントロール回路（ｓｔａｎｄｂｙ  ｍｏｄｅ  ＯＮ／ＯＦＦ  ｃｏｎｔｒｏｌ  ｃｉｒｃｕｉｔ）３４５を含むものである。スタンバイ節電コントロール回路３４０は、スタンバイモードオン／オフコントロール回路３４５の節電コントロールシグナルを受信した後、相対応する節電システムを引き続き起動させ、開路電源スイッチャー３１０の作動をコントロールして省電力機能を果たすものであるが、スタンバイモードオン／オフコントロール回路３４５も同時に節電コントロールシグナルをＡＣ−ＤＣコンバーター３０５、蛍光灯電流及び調光コントロールモジュール３２０５、システム電源を供給する電圧安定モジュール３２２０へ発信して、各々の回路の出力機能を作動停止して節電モードに切り換えるものである。
【実施例６】
【００３４】
図７に示される第六実施例に於いては、蛍光灯ドライヴィングモジュール３２１０が、高圧トランス３２１６と蛍光灯電流バランスモジュール３２２１を含むという点で、高圧トランスアレイを使用する図６の第五実施例とに相異がある。
【００３５】
高圧トランス３２１６と蛍光灯電流バランスモジュール３２２１は、図３の第二実施例中の高圧トランス２２１６と蛍光灯電流バランスモジュール２２２１の作動と機能と同様のもので、これらの高圧トランス３２１６と蛍光灯電流バランスモジュール３２２１を使用するという点を除いては、図６の電源供給装置３００の回路構造と全く一致するので、再度の説明は省くこととする。
【実施例７】
【００３６】
更に、図８に示される第七実施例に於いては、蛍光灯ドライヴィングモジュール３２１０が、二個の高圧トランスアレイ３２３０ａと３２３０ｂを含むという点で、図６の第五実施例とに相異がある。
【００３７】
この蛍光灯ドライヴィングモジュール３２１０は、バックライトモジュール３３５内の蛍光灯Ｌ１〜ＬＮの長さが比較的長いものを使用するので、二個の高圧トランスアレイ３２３０ａと３２３０ｂを有する構造設計が可能となり、蛍光灯Ｌ１〜ＬＮをその両側から各々直接点灯させると共に、その明度を比較的均一にすることができるようになるが、この際のバックライトドライヴィング回路３２０は、プッシュプッシュ式バックライトドライヴィング回路と呼ばれるものである。
【００３８】
図８の第七実施例中で示す高圧トランスアレイ３２３０ａと３２３０ｂは、図４の第三実施例中の高圧トランスアレイ２２３０ａと２２３０ｂの作動と機能と同様のもので、これらの二個の高圧トランスアレイ３２３０ａと３２３０ｂを使用するという点を除いては、図６の電源供給装置３００の回路構造と全く一致するので、重複する説明は省くこととする。
【実施例８】
【００３９】
又、図９に示される第八実施例に於いては、蛍光灯ドライヴィングモジュール３２１０が、二個の高圧トランスアレイ３２３５ａと３２３５ｂ及び二組の蛍光灯電流バランスモジュール３２４０ａと３２４０ｂを含むという点で、前述の図８の第七実施例とに相異がある。
【００４０】
この蛍光灯ドライヴィングモジュール３２１０は、比較的長い蛍光灯Ｌ１〜ＬＮの使用に対応するため、二個の高圧トランス３２３５ａと３２３５ｂ及び二組の蛍光灯電流バランスモジュール３２４０ａと３２４０ｂを有する構造設計が可能となり、蛍光灯Ｌ１〜ＬＮをその両端から各々直接点灯させると共に、その明度を比較的均一にすることができるようになるが、この際のバックライトドライヴィング回路３２０は、図８の第七実施例と同様に、プッシュプッシュ式バックライトドライヴィング回路と呼ばれるものである。
【００４１】
図８中で示す二個の高圧トランス３２３５ａと３２３５ｂ及び二組の蛍光灯電流バランスモジュール３２４０ａと３２４０ｂは、図５の第四実施例中の高圧トランス２２３５ａと２２３５ｂ及び蛍光灯電流バランスモジュール２２４０ａと２２４０ｂの作動と機能と同様のもので、これらの高圧トランス３２３５ａと３２３５ｂ及び蛍光灯電流バランスモジュール３２４０ａと３２４０ｂを使用するという点を除いては、図６の電源供給装置３００の回路構造と全く一致するので、重複説明は省略したい。
【００４２】
上述した第一〜第四実施例中の蛍光灯電流及び調光コントロールモジュール２２０５と第五〜第八実施例中の蛍光灯電流及び調光コントロールモジュール３２０５の回路構造を更に詳しく説明する図が図１０である。図１０に示される如く、蛍光灯電流及び調光コントロールモジュール２２０５は、電流探知ユニット４０５、可変抵抗器（実際には、インダクター：ｉｎｄｕｃｔｏｒで造られる）４１０、ドライヴィングユニット４１５、フィードバックユニット４２０、ＡＣスイッチ４２５、パルス幅変調調光ユニット４３０を含むものである。
【００４３】
その内の電流探知ユニット４０５は第一電圧シグナルＶ１を探知して探知結果Ｓｄｅｔをフィードバックユニット４２０へ発信するものであり、可変抵抗器４１０は、その両端上が電流探知ユニット４０５と高圧トランスの一端（正端）に各々接続されるが、その接続されるトランスは、実施例によって異なる。例えば、図２では、高圧トランスアレイ２２１０、図３では、高圧トランス２２１６、図４では、高圧トランスアレイ２２３０ａ、図５では、高圧トランス２２３５ｂと各々異なるトランスを指す。ドライヴィングユニット４１５は、可変抵抗器４１５に接続され、可変抵抗器のその抵抗値をコントロールするものである。フィードバックユニット４２０は、電流探知ユニット４０５とドライヴィングユニット４１５に接続され、ＡＣスイッチ４２５は、電源隔離トランス２１５の第一コイルと上述のトランスのもう一端（負端）に接続され、パルス幅変調調光ユニット４３０は、ＡＣスイッチ４２５とフィードバックユニット４２０に接続され、パルス幅変調機構に応じてＡＣスイッチ４２５のオン／オフタイムをコントロールして、調光コントロールシグナルＳＣをフィードバックユニット４２０へ発信させるものである。
【００４４】
その中で、フィードバックユニット４２０は、調光コントロールシグナルＳＣと探知結果Ｓｄｅｔに対応して、ドライヴィングユニット４１５を通して可変抵抗器４１０の抵抗値を調整するものだが、この様な可変抵抗器４１０の抵抗値を調整する方式を透して、蛍光灯Ｌ１〜ＬＮを点灯させる第一出力ドライヴィングシグナルＳ１〜ＳＮの電流は、調整コントロールされる。つまり、蛍光灯電流及び調光コントロールモジュール２２０５調整機能によって、更なる蛍光灯の電流の安定と調光の目的が達成可能になるのである。
上述した第一〜第四実施例中の開路電源スイッチャー２１０の回路構造を説明する図が図１１である。  図１１に示される如く、開路電源スイッチャー２１０は、少なくとも、トランジスターＱ１とＱ２、キャパシターＣ１、レジスタンスＲ１、開路電流モードパルス幅変調コントローラー５０５、蛍光灯ライティングコントロールモジュール５１０を含むものである。
【００４５】
トランジスターＱ１のドレインは、ＤＣ電源Ｓｉｎと電源隔離トランス２１５の一次コイルＷＰの一端（図中では、Ｗ１、Ｗ２は二次側の第一、第二コイルを各々指す）に接続され、そのソースは、トランジスターＱ２のドレインとキャパシターＣ１に接続され、そのゲートは、開路電流モードパルス幅変調コントローラー５０５に接続される。トランジスターＱ２のドレインは、キャパシターＣ２に接続され、そのソースは、レジスタンスＲ１と開路電流モードパルス幅変調コントローラー５０５に接続され、そのゲートも開路電流モードパルス幅変調コントローラー５０５に接続される。キャパシターＣ１のもう一端（ＶＡＣ）は、電源隔離トランス２１５の一次コイルＷＰのもう一端（ＶＡＣ）に接続され、レジスタンスＲ１の一端は、トランジスターＱ２のソース端に接続され、もう一端は、グラウンドに接続される。他に、開路電流モードパルス幅変調コントローラー５０５は、トランジスターＱ１、Ｑ２の伝導状態をコントロールするもので、蛍光灯ライティングコントロールモジュール５１０は、開路電流モードパルス幅変調コントローラー５０５に接続され、開路電流モードパルス幅変調コントローラー５０５を調整して蛍光灯Ｌ１〜ＬＮの点灯システムをコントロールするものである。
【００４６】
本実施例では、ハーフブリッジ（ｈａｌｆ  ｂｒｉｄｇｅ）の転換構造を挙げて説明したが、開路電源スイッチャー２１０は、このタイプだけに限定されず、例えば、フルブリッジ（ｆｕｌｌ  ｂｒｉｄｇｅ）等他の転換も使用可能である。
【産業上の利用可能性】
【００４７】
従来の交換式電源供給器１００は、点灯時に明度の調整を行う際に、蛍光灯の負荷変動がフィードバック及びドライヴィング回路１４０ａを通して電源スイッチャー１２５ａにフィードバックされるので、その影響を受けて電源が不安定状態になった。
【００４８】
しかしながら、開路式設計構造の本考案の図１１の開路電源スイッチャー２１０は、蛍光灯の負荷変動がシステム電源の不安定を引き起こすという上述の問題の発生を回避可能になる。更に、開路電流モードパルス幅変調コントローラー５０５は、時比率５０パーセント状態で作動する電流モードコントール機構を有する構造設計なので、全体の転換効率を理想的状態にコントロール可能であるという点に於いて、本考案は転換効率の利点を誇ることができる。又、ゼロ電圧スイッチング（ｚｅｒｏ  ｖｏｌｔａｇｅ  ｓｗｉｔｃｈｉｎｇ）の効果を極簡単に得ることができるので、最高出力電源を一定の範囲内に制限可能できる。
【００４９】
理論上、開路式の電源スイッチャーの使用は、蛍光灯調光時の難度を高めることになるが、事実上、本考案の実施例に基づく方法、即ち、電源隔離トランス２１５の二次側に於いて蛍光灯電流及び調光コントロールモジュール２２０５を使用して蛍光灯調光を行うという方法を採用すれば、蛍光灯調光の作動が容易く実現できる。
【００５０】
この他、前述の如く、開路電源スイッチャー２１０は、ハーフブリッジの転換構造の外に、フルブリッジ転換構造を使用しての実現も可能である。
【００５１】
本考案の第五〜第八実施例中の開路電源スイッチャー３１０も又図１１の開路電源スイッチャー２１０と同様の回路設計を有し、本考案の範囲内に属するものである。
【００５２】
更に、この技術領域に精通する専門家であれば、本考案の実施例に基づいて設計可能な実施方式、即ち、蛍光灯ドライヴィングとスタンバイ電源の二者が同一の開路電源スイッチャーと電源隔離トランスを共用するという方法を理解できるだろうが、本考案の実施方式が適当な修正を経て、蛍光灯のバックライトモジュール中に含まれるもの、或いは、その他の種類のバックライトモジュール中に含まれるものに応用されたものに関しても本考案の基本構造に基づいたものだと言える。
【００５３】
電源回路２２５は、他の実施例中で電圧安定モジュール２２２０の回路を含まない設計も選択可能だし、この様な変更も又本考案の範囲内に属することとする。
【００５４】
最後に補足すべき点としては、上述の実施内容は本考案の比較的理想的な実施例に過ぎず、本考案の特許請求の範囲に基づいて行われるそれ相等の変更や修正に関しては、本考案の包括範囲内のこととするということを付け加えておきたい。
【符号の説明】
【００５５】
１００                          交換式電源供給器
１０５、２０５、３０５          ＡＣ−ＤＣコンバーター
１１０                          蛍光灯インバーター
１１５、１２０、２３０          ＤＣ−ＤＣコンバーター
１２５ａ、１２５ｂ、１２５ｃ      電源スイッチャー
２３０５                          電源スイッチャー
１３０ａ、１３０ｂ、１３０ｃ      トランス
２３１０                          トランス
１３５、２２３０ａ、２２３０ｂ    高圧トランスアレイ
３２３０ａ、３２３０ｂ            高圧トランスアレイ
１３６                          整流フィルターアレイ
１３７、２３１５                整流フィルター回路
１４０ａ、１４０ｂ、１４０ｃ      フィードバック及び駆動回路
２３２０                        駆動回路
２００、３００                  電源供給装置
２１０、３１０                  開路電源スイッチャー
２１５、３１５                  電源隔離トランス
２２０、３２０                  バックライトドライヴィング回路
２２５、３２５、３３０          電源回路
２３５、３３５                  バックライトモジュール
３４０                          スタンバイ節電コントロール回路
３４５                          スタンバイオン／オフコントロール
４０５                          電流探知ユニット
４１０                          可変抵抗器
４１５                          ドライヴィングユニット
４２０                          フィードバックユニット
４２５                          ＡＣスイッチ
４３０                          パルス幅変調調光ユニット
５０５                          オープンループ電流モードパルス幅変調調光コントローラー
５１０                          蛍光灯ライティングコントロールモジュール
２２０５、３２０５              蛍光灯電流及び調光コントロールモジュール
２２１０、３２１０              蛍光灯ドライヴィングモジュール
２２１５、３２１５、３３０１    整流フィルターモジュール
２２１６、２２３５ａ、２２３５ｂ、高圧トランス
３２１６、３２３５ａ、３２３５ｂ
２２２０、３２２０              電圧安定モジュール
２２２１、２２４０ａ、２２４０ｂ、蛍光灯電流バランスモジュール
３２２１、３２４０ａ、３２４０ｂ
Ｃ１                                キャパシター
Ｌ１〜ＬＮ                            蛍光灯
Ｑ１〜Ｑ２                            トランジスター
Ｒ１                                抵抗
Ｓ１〜ＳＮ                            第一出力ドライヴィングシグナル
Ｓ１’〜ＳＮ’                        第二出力ドライヴィングシグナル
ＳＣ                                調光コントロールシグナル
Ｓｄｅｔ                                  探知結果
Ｓｉｎ  、Ｓｉｎ’                          直流電源
ＳＴＸＯ                                第一トランス出力シグナル
ＳＴＸＯ’                              第二トランス出力シグナル
Ｖ１                                第一電圧シグナル
Ｖ２                                第二電圧シグナル
ＶＡＣ                                交流入力電圧
ＶＣ                                電圧コントロールシグナル
Ｖｉｎ                              入力電圧
ＶＯ１〜ＶＯＭ                          出力電源シグナル
ＶＳＳ                              スタンバイ電源
Ｗ１                                第一コイル
Ｗ２                                第二コイル
ＷＰ                              一次コイル
【図１】
0003155903.tif 000003
【図２】
0003155903.tif 000004
【図３】
0003155903.tif 000005
【図４】
0003155903.tif 000006
【図５】
0003155903.tif 000007
【図６】
0003155903.tif 000008
【図７】
0003155903.tif 000009
【図８】
0003155903.tif 000010
【図９】
0003155903.tif 000011
【図１０】
0003155903.tif 000012
【図１１】
0003155903.tif 000013
【手続補正書】
【提出日】平成21年10月5日(2009.10.5)
【手続補正１】
【補正対象書類名】実用新案登録請求の範囲
【補正対象項目名】全文
【補正方法】変更
【補正の内容】
【実用新案登録請求の範囲】
【請求項１】
直流電源に応じて交流入力電圧を提供する開路電源スイッチャーと、
該開路電源スイッチャーに接続され、一次コイル、更に、交流入力電圧に応じて第一電圧シグナルを発信する二次側の第一コイル、及び、第二コイルを持つ電源隔離トランスと、
該電源隔離トランスの第一コイルに接続され、前記第一電圧シグナルに応じてバックライトモジュールを作動させるバックライトドライヴィング回路と、
電源隔離トランスの第二コイルに接続され、交流入力電圧に応じて発信した第二電圧シグナルの受信後、出力電源シグナルを発信する電源回路と
を含む電源供給装置。
【請求項２】
前記バックライトモジュールは、少なくとも一個以上の蛍光灯を含む請求項１に記載の電源供給装置。
【請求項３】
前記開路電源スイッチャー、前記電源隔離トランス、前記バックライトドライヴィング回路は、蛍光灯インバーター（ｉｎｖｅｒｔｅｒ）を形成するもので、
前記開路電源スイッチャー、前記電源隔離トランス、前記電源回路は、システム（ｓｙｓｔｅｍ）電源を形成するものだが、
前記蛍光灯インバーターとシステム電源は、前記開路電源スイッチャーと電源隔離トランスを共用するという特徴を持つ
請求項２に記載の電源供給装置。
【請求項４】
前記開路電源スイッチャー、前記電源隔離トランス、前記バックライトドライヴィング回路は、前記蛍光灯インバーターを形成するもので、
前記開路電源スイッチャー、前記電源隔離トランス、前記電源回路は、スタンバイ電源を形成するものだが、
前記蛍光灯インバーターとスタンバイ電源は、前記開路電源スイッチャーと電源隔離トランスを共用するという特徴を持つ
請求項２に記載の電源供給装置。
【請求項５】
前記バックライトドライヴィング回路は、前記第一電圧シグナルの受信後、前記蛍光灯の電流と明度を調整するという作用の電圧コントロールシグナルを発信する蛍光灯電流及び調光コントロールモジュールと、該蛍光灯電流及び調光コントロールモジュールに接続され、前記電圧コントロールシグナルに応じて、少なくとも一つ以上の第一出力ドライヴィングシグナルを発信して前記蛍光灯を点灯させるという機能の蛍光灯ドライヴィングモジュールとを含むという特徴を持つ請求項２に記載の電源供給装置。
【請求項６】
前記蛍光灯ドライヴィングモジュールは、前記電圧コントロールシグナルに応じて複数の第一出力ドライヴィングシグナルを発信して、前記バックライトモジュールに含まれる複数の蛍光灯を点灯させるという機能の高圧トランスアレイを含むという特徴を持つ請求項５に記載の電源供給装置。
【請求項７】
前記蛍光灯ドライヴィングモジュールは、前記蛍光灯電流及び調光コントロールモジュールに接続され、前記電圧コントロールシグナルに応じてトランス出力シグナルを発信するトランスと、該トランスに接続され、前記トランス出力シグナルに応じて複数の第一出力ドライヴィングシグナルを発信して、前記バックライトモジュールに含まれる複数の蛍光灯を点灯させるという機能の蛍光灯電流バランスモジュールとを含むという特徴を持つ請求項５に記載の電源供給装置。
【請求項８】
前記蛍光灯ドライヴィングモジュールは、前記蛍光灯電流及び調光コントロールモジュールに接続され、前記電圧コントロールシグナルに応じて第一トランス出力シグナルを発信する第一トランスと、前記蛍光灯電流及び調光コントロールモジュールに接続され、前記電圧コントロールシグナルに応じて第二トランス出力シグナルを発信する第二トランスと、前記第一トランスに接続され、前記第一トランス出力シグナルに応じて複数の第一出力ドライヴィングシグナルを前記バックライトモジュールに含まれる複数の蛍光灯の第一端へ各々発信する第一蛍光灯電流バランスモジュールと、前記第二トランスに接続され、前記第二トランス出力シグナルに応じて複数の第二出力ドライヴィングシグナルを前記バックライトモジュールに含まれる複数の蛍光灯の第二端へ各々発信する第二蛍光灯電流バランスモジュールとを含むという特徴を持つ請求項５に記載の電源供給装置。
【請求項９】
前記蛍光灯ドライヴィングモジュールは、前記蛍光灯電流及び調光コントロールモジュールに接続され、前記電圧コントロールシグナルに応じて少なくとも一つ以上の第一トランス出力シグナルを蛍光灯の第一端へ発信する第一トランスと、前記蛍光灯電流及び調光コントロールモジュールに接続され、前記電圧コントロールシグナルに応じて少なくとも一つ以上の第二トランス出力シグナルを前記蛍光灯の第二端へ発信する第二トランスとを含むが、この際の前記バックライトドライヴィング回路は、ダブルプッシュ式バックライトドライヴィング回路を採用するという特徴を持つ請求項５に記載の電源供給装置。
【請求項１０】
前記第一トランスは、高圧トランスアレイとなり、電圧コントロールシグナルに応じて複数の第一トランス出力シグナルをバックライトモジュールに含まれる複数の蛍光灯の第一端へ各々発信すると共に、第二トランスも、高圧トランスアレイとなり、電圧コントロールシグナルに応じて複数の第二トランス出力シグナルをバックライトモジュールに含まれる複数の蛍光灯の第二端へ各々発信するという特徴を持つ請求項９に記載の電源供給装置。
【請求項１１】
前記蛍光灯電流及び調光コントロールモジュールは、前記第一電圧シグナルの電流を探知して探知結果を発信する電流探知ユニットと、一端が前記電流探知ユニットに、他端が蛍光灯ドライヴィングモジュールに含まれる一個以上のトランスの一端に各々接続される可変抵抗器と、該可変抵抗器に接続され、前記可変抵抗器の抵抗値をコントロールするドライヴィングユニットと、前記電流探知ユニットとドライヴィングユニットに接続され、前記調光コントロールのシグナルと前記探知結果の受信後、前記ドライヴィングユニットを通して前記可変抵抗器の抵抗値を調整するフィードバックユニットと、前記電源隔離トランスの第一コイルと前記トランスの他端に接続される交流スイッチと、該交流スイッチと前記フィードバックユニットに接続され、パルス幅変調（ＰＷＭ）システムに応じて、前記交流スイッチのデューティサイクルをコントロールし、前記調光コントロールシグナルを前記フィードバックユニットへ発信するパルス幅変調調光ユニットとを含むという特徴を持つ請求項５に記載の電源供給装置。
【請求項１２】
前記開路電源スイッチャーは、直流電流と電源隔離トランスの一次コイルの一端に接続される第一端、及び、第二端、コントロール端を持つ第一トランジスターと、前記第一トランジスターの第二端に接続される第一端、及び、第二端、コントロール端を持つ第二トランジスターと、一端が前記電源隔離トランスの一次コイルの他端に接続され、他端が前記第一トランジスターの第二端と前記第二トランジスターの第一端に接続されるキャパシターと、前記第二トランジスターの第二端とレファレンス電源に接続される抵抗器と、前記第一、第二トランジスターの各々コントロール端と前記抵抗器に接続され、前記第一、第二トランジスターの伝導状態をコントロールするオープンループ電流モードパルス幅変調コントローラーと、該オープンループ電流モードパルス幅変調コントローラーに接続され、前記オープンループ電流モードパルス幅変調コントローラーを調整して蛍光灯を点灯させる蛍光灯ライティングコントロールモジュール（ｌａｍｐ  ｌｉｇｈｔｉｎｇ（ｓｔｒｉｋｉｎｇ）  ｃｏｎｔｒｏｌ  ｍｏｄｕｌｅ）とを含むという特徴を持つ請求項２に記載の電源供給装置。
【請求項１３】
前記電源回路は、前記電源隔離トランスの第二コイルに接続され、前記第二電圧シグナルの整流後の前記第二電圧シグナルに対してフィルター作業を行って出力電源シグナルを提供する整流フィルターモジュールを含むという特徴を持つ請求項１に記載の電源供給装置。
【請求項１４】
前記電源回路は、前記整流フィルターモジュールに接続され、前記整流フィルターモジュールによって得た前記出力電源シグナルに対して電圧の調整を行う電圧安定モジュールを含むという特徴を持つ請求項１３に記載の電源供給装置。